(57)【要約】【課題】機器本体の薄型化を可能とすると共に、目的とする操作を確実に行うことを可能とする操作部材を備える電子機器を提供する。【解決手段】Ｘ方向にスライドさせることでレリーズ操作を行い、Ｙ方向にスライドさせることでズーム操作を行う操作レバー１５０を有するデジタルカメラ１００において、操作レバー１５０を初期位置からＸ方向にスライドさせた状態では操作レバー１５０のＹ方向へのスライドが規制され、操作レバー１５０をＹ方向にスライドさせた状態では操作レバー１５０のＸ方向へのスライドが規制され、操作レバー１５０のＸ方向またはＹ方向へのスライドは初期位置においてのみ選択可能な構成とする。【選択図】図６
2016206594.tif 000002
【特許請求の範囲】
【請求項１】
電子機器であって、
互いに直交する第１の方向と第２の方向のそれぞれに設けられた複数のポジションと初期位置との間をスライド可能な操作レバーと、
前記操作レバーのポジションを検出する検出手段と、
前記検出手段が検出した前記操作レバーのポジションに応じて前記電子機器の動作を制御する制御手段と、を備え、
前記操作レバーは、前記操作レバーを前記初期位置から前記第１の方向にスライドさせた状態では前記操作レバーの前記第２の方向へのスライドが規制され、前記操作レバーを前記初期位置から前記第２の方向にスライドさせた状態では前記操作レバーの前記第１の方向へのスライドが規制され、前記操作レバーの前記第１の方向または前記第２の方向へのスライドは前記初期位置においてのみ選択可能であることを特徴とする電子機器。
【請求項２】
前記操作レバーを前記第１の方向と前記第２の方向にスライド可能に保持する保持部材と、
前記保持部材を介して前記操作レバーと固定され、前記操作レバーと一体的にスライドする板状部材と、を備え、
前記保持部材は、前記第１の方向および前記第２の方向と直交する第３の方向に突出した第１の凸部と第２の凸部とを有し、
前記板状部材は、前記第２の方向の一方の端部において前記第３の方向に曲げ起こされた一対の第１の立壁部と、前記一対の第１の立壁部の間に設けられた第１の溝部と、開口部と、前記開口部の側面において前記第３の方向に曲げ起こされた一対の第２の立壁部と、前記一対の第２の立壁部の間に設けられた第２の溝部と、を有し、
前記第２の凸部は前記開口部の内部に配置され、
前記操作レバーを前記初期位置から前記第１の方向にスライドさせた状態では、前記第１の凸部と前記第１の立壁部とが互いに前記第２の方向の側面で当接すると共に前記第２の凸部と前記第２の立壁部とが互いに前記第２の方向の側面で当接することにより前記操作レバーの前記第２の方向へのスライドが規制され、前記操作レバーを前記初期位置から前記第２の方向にスライドさせた状態では、前記第１の凸部が前記第１の溝部に入り込むと共に前記第２の凸部が前記第２の溝部に入り込むことにより前記操作レバーの前記第１の方向へのスライドが規制されることを特徴とする請求項１に記載の電子機器。
【請求項３】
前記操作レバーを前記第１の方向または前記第２の方向へスライドさせた状態から前記初期位置へ復帰させる付勢部材を備え、
前記付勢部材は、コイル部と、前記コイル部から延出した略平行な一対の腕部と、前記腕部の先端を所定角度に曲げることによって形成された先端腕部と、を有し、
前記腕部は、前記第１の方向において前記操作レバーを前記初期位置へ向けて付勢し、前記先端腕部は、前記第２の方向において前記操作レバーを前記初期位置へ向けて付勢することを特徴とする請求項１又は２に記載の電子機器。
【請求項４】
前記複数のポジションは、前記第１の方向の可動域の両端部近傍にそれぞれ設定される第１のポジションおよび第２のポジションと、前記第２の方向の可動域の途中に設定される第３のポジションと、前記第２の方向の可動域の前記初期位置とは反対側の端部近傍に設定される第４のポジションとを有し、
前記制御手段は、前記操作レバーが前記第１のポジション、前記第２のポジション、前記第３のポジションおよび前記第４のポジションごとに異なる動作の制御を行うことを特徴とする請求項１乃至３のいずれか１項に記載の電子機器。
【請求項５】
焦点距離の変更が可能な鏡筒ユニットを有する撮像手段を備え、
前記制御手段は、前記操作レバーが前記第１のポジションへ操作されたときに前記鏡筒ユニットの焦点距離を広角側へ変更し、前記操作レバーが前記第２のポジションへ操作されたときに前記鏡筒ユニットの焦点距離を望遠側へ変更する制御を行うことを特徴とする請求項４に記載の電子機器。
【請求項６】
焦点距離の変更が可能な鏡筒ユニットと撮像素子とを有する撮像手段を備え、
前記制御手段は、前記操作レバーが前記第３のポジションにあることを前記検出手段が検出したときに少なくとも自動露出処理と前記鏡筒ユニットでのオートフォーカス処理を行い、前記操作レバーが前記第４のポジションにあることを前記検出手段が検出したときに前記撮像素子による撮像処理を行うことを特徴とする請求項４に記載の電子機器。
【請求項７】
前記操作レバーは、前記鏡筒ユニットが配置されている面の反対側の面に設けられていることを特徴とする請求項５又は６に記載の電子機器。
【請求項８】
互いに直交する第１の方向と第２の方向のそれぞれに設けられた複数のポジションと初期位置との間をスライド可能な操作レバーと、
前記操作レバーを前記第１の方向と前記第２の方向にスライド可能に保持する保持部材と、
前記保持部材を介して前記操作レバーと固定され、前記操作レバーと一体的にスライドする板状部材と、を備える操作部材であって、
前記保持部材は、前記第１の方向および前記第２の方向と直交する第３の方向に突出した第１の凸部と第２の凸部とを有し、
前記板状部材は、前記第２の方向の一方の端部において前記第３の方向に曲げ起こされた一対の第１の立壁部と、前記一対の第１の立壁部の間に設けられた第１の溝部と、開口部と、前記開口部の側面において前記第３の方向に曲げ起こされた一対の第２の立壁部と、前記一対の第２の立壁部の間に設けられた第２の溝部と、を有し、
前記第２の凸部は前記開口部の内部に配置され、
前記操作レバーを前記初期位置から前記第１の方向にスライドさせた状態では、前記第１の凸部と前記第１の立壁部とが互いに前記第２の方向の側面で当接すると共に前記第２の凸部と前記第２の立壁部とが互いに前記第２の方向の側面で当接することにより前記操作レバーの前記第２の方向へのスライドが規制され、前記操作レバーを前記初期位置から前記第２の方向にスライドさせた状態では、前記第１の凸部が前記第１の溝部に入り込むと共に前記第２の凸部が前記第２の溝部に入り込むことにより前記操作レバーの前記第１の方向へのスライドが規制され、前記操作レバーの前記第１の方向または前記第２の方向へのスライドは前記初期位置においてのみ選択可能であることを特徴とする操作部材。
【発明の詳細な説明】
【技術分野】
【０００１】
本発明は、電子機器及び操作部材に関し、特に撮像機構を備える電子機器に関する。
【背景技術】
【０００２】
撮像素子により画像や映像を撮像するデジタルカメラ等の撮像装置には、ユーザの操作により撮像時の画角の変倍動作（ズーム動作）を行うズーム機構を備えたものがある。例えば、レリーズ操作を行うための押下操作部材であるレリーズボタンの外側に、ズーム動作を行うための回転操作部材であるズームレバーを同心に配置した構成が知られている（特許文献１参照）。
【０００３】
また、カメラ本体においてレンズ鏡筒が配置されている前面にレリーズ操作を行うレリーズ操作部を設け、カメラ本体の背面にズーム操作を行うズーム操作部を設けたカメラが提案されている（特許文献２参照）。このカメラでは、レリーズ操作部とズーム操作部はそれぞれ、ユーザによるスライド操作が可能な構成となっている。更に、１つの操作部材でレリーズ操作とズーム操作とを可能とする入力装置が提案されている（特許文献３参照）。この入力装置は、カメラ本体の上壁を貫通してスライド及び上下動可能に配備された操作ボタンと、この操作ボタンのスライド方向に並んで配置された３つのスイッチによって構成されている。そして、操作ボタンのスライド操作によってズーム動作が、押下操作によってレリーズ動作が行われるようになっている。
【先行技術文献】
【特許文献】
【０００４】
【特許文献１】特開２００６−１９６２１２号公報
【特許文献２】特開２００３−８４３４８号公報
【特許文献３】特開２００４−３２５６１５号公報
【発明の概要】
【発明が解決しようとする課題】
【０００５】
デジタルカメラでは、光軸方向の寸法を短くして薄型化を図るという要望が以前にも増して強くなっており、小型化を目的としてズーム操作やレリーズ操作を行うための部品単体についても小型化が求められている。
【０００６】
しかしながら、特許文献１に記載されているようなズームレバーとレリーズボタンとを同心に配置する構成の場合、操作性を維持するために一定の大きさを確保する必要があるため、デジタルカメラの薄型化には不向きと考えられる。また、特許文献２に記載されているようにズーム操作部とレリーズ操作部とをカメラ本体の前面と背面に設けた構成では、ズーム操作とレリーズ操作とを誤操作してしまうおそれがある。また、常に指をレリーズ操作部にあてた状態でカメラ本体を保持するため、ズーム操作中に意図せずレリーズ動作が行われてしまうおそれがある。
【０００７】
一方、特許文献３に記載されているように１つの操作部材でスライド操作と押下操作を行う場合には、スライド操作中に、力の加減によって意図せずに押下操作が行われてシャッタが動作してしまい、意図しない撮像が行われてしまう場合がある。
【０００８】
本発明は、機器本体の薄型化を可能とすると共に、目的とする操作を確実に行うことを可能とする操作部材を備える電子機器を提供することを目的とする。
【課題を解決するための手段】
【０００９】
本発明に係る電子機器は、互いに直交する第１の方向と第２の方向のそれぞれに設けられた複数のポジションと初期位置との間をスライド可能な操作レバーと、前記操作レバーのポジションを検出する検出手段と、前記検出手段が検出した前記操作レバーのポジションに応じて前記電子機器の動作を制御する制御手段と、を備え、前記操作レバーは、前記操作レバーを前記初期位置から前記第１の方向にスライドさせた状態では前記操作レバーの前記第２の方向へのスライドが規制され、前記操作レバーを前記初期位置から前記第２の方向にスライドさせた状態では前記操作レバーの前記第１の方向へのスライドが規制され、前記操作レバーの前記第１の方向または前記第２の方向へのスライドは前記初期位置においてのみ選択可能であることを特徴とする。
【発明の効果】
【００１０】
本発明によれば、電子機器の機器本体の薄型化が可能になり、また、目的とする操作を確実に行うことが可能になる。
【図面の簡単な説明】
【００１１】
【図１】本発明の実施形態に係るデジタルカメラの外観斜視図及び背面図である。
【図２】図１のデジタルカメラに設けられた操作レバーの拡大図である。
【図３】図１のデジタルカメラに設けられた操作ボタン及び操作レバーの分解斜視図である。
【図４】図１のデジタルカメラにおいてボタンベースと対向するように配置される操作基板の構成を表す斜視図である。
【図５】図１のデジタルカメラが備える操作レバーの構成を示す分解斜視図と、操作レバーに直進部材が収容された状態を示す側面図である。
【図６】図１のデジタルカメラにおいて、ボタンベースに操作レバー、直進部材及びスライドプレートが組み付けられた状態を示す斜視図である。
【図７】図１のデジタルカメラにおいて、操作レバーのスライド操作に伴う内部構造部品の動作を説明する図である。
【図８】図１のデジタルカメラにおいて、操作基板のズームパターンと操作レバーでのズーム操作との関係を説明する図である。
【図９】図１のデジタルカメラに無線モジュールを配置したときの概略構成を示す正面図である。
【発明を実施するための形態】
【００１２】
以下、本発明の実施形態について、添付図面を参照して詳細に説明する。本実施形態では、本発明に係る電子機器として、撮像素子による撮像を行う、所謂、コンパクトタイプのデジタルカメラを取り上げることとする。
【００１３】
図１（ａ）は、本発明の実施形態に係るデジタルカメラ１００を正面側から見た外観斜視図である。図１（ｂ）は、デジタルカメラ１００を背面側から見た外観斜視図である。図１（ｃ）は、デジタルカメラ１００の背面図であり、ユーザがデジタルカメラ１００を保持した状態が表されている。なお、図１に示すように、デジタルカメラ１００の高さ方向をＹ方向（第１の方向）、幅方向をＸ方向（第２の方向）、厚さ方向（前後方向）をＺ方向（第３の方向）として互いに直交する方向軸を定め、適宜、説明に利用する。
【００１４】
デジタルカメラ１００のカメラ本体１１０の前面には、鏡筒ユニット１２０が配置されている。鏡筒ユニット１２０は、不図示のレンズ群を光軸方向であるＺ方向に移動させることによって焦点距離を変更させることができるズームレンズユニットであり、撮像時の画角を許容範囲内で変倍させてズーム動作と撮像を行うことができる。
【００１５】
カメラ本体１１０の背面には、表示部１３０、操作ボタン１４０及び操作レバー１５０が配設されている。表示部１３０は、具体的には、液晶ディスプレイや有機ＥＬディスプレイであり、カメラ本体１１０の背面に向かって左側に配置されている。操作レバー１５０はユーザがカメラ本体１１０を右手ＲＨで持ったときに、親指を添えることができる位置に配置されている。ユーザは、操作ボタン１４０と操作レバー１５０を操作することによって、カメラ本体１１０の電源のオン／オフの切り替え、鏡筒ユニット１２０の駆動、撮像条件の設定変更、撮像、撮像画像の表示部１３０での表示等の操作を行うことができる。
【００１６】
図２は、操作レバー１５０の拡大図である。カメラ本体１１０の外観を構成する外装カバー２００には開口部２１０が設けられており、開口部２１０に合わせた形状を有する壁部３１０ａを有するボタンベース３１０（保持部材）が、外装カバー２００に対して内側から貼り合わされて固定されている。壁部３１０ａに囲まれたスペースに操作レバー１５０が収容されており、操作レバー１５０は、ボタンベース３１０に設けられている複数の貫通穴を介して、外装カバー２００の内側に配置されている不図示の各種部材と固定されている。操作レバー１５０及びその周辺構造についての詳細については後述する。
【００１７】
操作レバー１５０は、カメラ本体１１０に対してＸ方向とＹ方向にそれぞれスライドさせることができるようにボタンベース３１０に取り付けられている。デジタルカメラ１００の全体的な動作制御を行う不図示の制御ユニットであるマイクロプロセッサ（エンジン）は、操作レバー１５０のスライド（位置の変化）を検出し、検出結果に応じて撮像制御を行う。
【００１８】
操作レバー１５０は、図２に示す位置が初期位置（ホームポジション）となっている。例えば、操作レバー１５０が−Ｙ方向にスライド操作され、ポジションＷ１（第１のポジション）に達すると、鏡筒ユニット１２０の焦点距離は望遠側から広角側に変倍駆動される。逆に、操作レバー１５０が＋Ｙ方向にスライド操作され、ポジションＴ１（第２のポジション）達すると、鏡筒ユニット１２０の焦点距離は広角側から望遠側に変倍駆動される。このように、操作レバー１５０がＹ方向にスライド操作されることにより、鏡筒ユニット１２０でのズーム動作が実行される。なお、ポジションＷ１とポジションＴ１はそれぞれ、操作レバー１５０のＹ方向での可動域の両端部近傍に設定される。
【００１９】
また、操作レバー１５０が図２に示す位置から−Ｘ方向に一定量スライド操作されると、マイクロプロセッサは、操作レバー１５０がポジションＳ１（第３のポジション）へ移動したと判断し、撮像準備処理を開始する。つまり、ポジションＳ１は、マイクロプロセッサに撮像準備を指示する第１スイッチがオンとなる位置である。なお、撮像準備処理には、ＡＦ処理（オートフォーカス処理）、ＡＥ処理（自動露出処理）、ＡＷＢ（オートホワイトバランス）処理及び顔検出処理等が挙げられる。操作レバー１５０が更に−Ｘ方向にスライド操作されると、マイクロプロセッサは、操作レバー１５０がポジションＳ２（第４のポジション）へ移動したと判断し、撮像処理を行う。なお、撮像処理とは、撮像素子（不図示）への露光、撮像素子からの信号の読み出し、読み出した信号の画像データへの変換、画像データに対する所定の画像処理、画像データの不図示の記憶媒体への書き込み、表示部１３０での画像表示等の一連の処理を指す。なお、ポジションＳ１は、操作レバー１５０のＸ方向での可動域の途中（中間部）に設定され、ポジションＳ２は、Ｘ方向において初期位置とは反対側の端部近傍に設定される。操作レバー１５０の表面には、Ｘ方向に延びる複数の凸部１５０ａが略等間隔に形成されている。ユーザが操作レバー１５０をＹ方向にスライド操作する際に指が凸部１５０ａに掛かることで、ズーム時の操作性を向上させることができる。また、操作レバー１５０における凸部１５０ａの−Ｘ方向側（カメラ本体１１０の側面側）には、Ｙ方向と平行に斜面部１５０ｂが形成されている。斜面部１５０ｂは、−Ｚ方向に凸となる斜面を有するように形成されている。したがって、ユーザが操作レバー１５０を−Ｘ方向にスライドさせるときに指が斜面部１５０ｂに掛かることで、撮像時の操作性を向上させることができる。
【００２０】
図３は、操作ボタン１４０及び操作レバー１５０の分解斜視図である。また、図４は、カメラ本体１１０の内部においてボタンベース３１０と対向するように配置される操作基板３０９の構成を表す斜視図である。
【００２１】
操作レバー１５０の内部には直進部材３０８が収容されており、直進部材３０８はボタンベース３１０と操作レバー１５０との間に配設されている。ボタンベース３１０を挟んで直進部材３０８と対向する位置にはスライドプレート３０３（板状部材）が配置されている。ボタンベース３１０に設けられた穴に挿通された操作レバー１５０のカシメ軸１５０ｄを、スライドプレート３０３に形成されている穴部３０３ｂに挿通させ、熱カシメ等の方法で操作レバー１５０をスライドプレート３０３に固定する。これにより、スライドプレート３０３は、操作レバー１５０と一体的に動作する。スライドプレート３０３には押し子部材３０６が嵌合されており、よって、押し子部材３０６は、スライドプレート３０３と一体的に動作する。
【００２２】
操作レバー１５０を図２に示される初期位置に停止させる役割を担う付勢部材３０４が、ボタンベース３１０に操作レバー１５０を組み付けた後にビス３０５によってボタンベース３１０に固定されている。付勢部材３０４として、本実施形態では、トーションバネを採用している。直進部材３０８には、熱カシメ等の方法により操作基板３０９と接触するブラシ３０７が固定されており、直進部材３０８と一体的に動作する。
【００２３】
外装カバー２００とボタンベース３１０との間には、操作ボタン１４０の１つである十字キー３０２が配置されている。十字キー３０２は、腕部３０２ａに形成されている穴にボタンベース３１０に形成された軸部を嵌合させることにより、ボタンベース３１０に保持されている。外装カバー２００には、ボタンベース３１０に形成された操作ボタン１４０と対向する位置に穴が形成されており、ボタンベース３１０を外装カバー２００に接着固定したときに、操作ボタン１４０が外観に露出するように構成されている。
【００２４】
ボタンベース３１０の背面側（カメラ本体１１０の内部側）にボタンベース３１０と対向するように配置された操作基板３０９は、例えば、ポリイミド等の基材に銅箔を貼り合わせて、表面を絶縁材料で被覆したフレキシブルプリント基板である。操作基板３０９は不図示の本体フレームに接着固定される。カメラ本体１１０を組み立てたときに、操作基板３０９に実装されている操作スイッチ３０９ａとボタンベース３１０に設けられた操作ボタン１４０の各押し子とが対向する。また、操作基板３０９に設けられたズームパターン３０９ｂと、ボタンベース３１０に設けられたブラシ３０７とが対向する。更に、操作基板３０９に実装されたレリーズスイッチ３０９ｃとボタンベース３１０に設けられた押し子部材３０６が対向する。
【００２５】
操作基板３０９に設けられた延出部３０９ｄは、不図示の制御基板と接続されている。ユーザが操作ボタン１４０や操作レバー１５０を操作すると、操作スイッチ３０９ａ、ズームパターン３０９ｂ及びレリーズスイッチ３０９ｃが動作し、入力信号が延出部３０９ｄを通して制御基板に伝達される。
【００２６】
レリーズスイッチ３０９ｃは、２段階の押圧操作を検出することが可能なダブルアクションタイプのタクティールスイッチである。操作レバー１５０の操作位置であるポジションＳ１では押し子部材３０６がレリーズスイッチ３０９ｃを１段目まで押下し、ポジションＳ２では押し子部材３０６がレリーズスイッチ３０９ｃの２段目まで押下するように設定されている。
【００２７】
図５（ａ）は、操作レバー１５０の構成部品の一部を示す分解斜視図である。図５（ｂ）は、操作レバー１５０に直進部材３０８が収容された状態を示す側面図（直進部材３０８側から見た図）である。操作レバー１５０には、一対の軸部１５０ｅと一対のカシメ軸１５０ｄとが形成されている。操作レバー１５０は、軸部１５０ｅとカシメ軸１５０ｄとが突出している側（＋Ｚ方向側）は凹形状に形成されている。操作レバー１５０の凹部空間を形成している一側面である側壁１５０ｃには、後述するように、直進部材３０８と係合する溝部が形成されている。
【００２８】
直進部材３０８には、一対の軸部３０８ｅと、直進部材３０８の中央部に配設される軸部３０８ｄと、ブラシ保持部３０８ｆとが、＋Ｚ方向に突出して形成されている。ブラシ保持部３０８ｆは、突出した軸の先端に平面部を有しており、この平面部に一対のカシメ軸３０８ｇが形成されている。
【００２９】
ボタンベース３１０には複数の開口部が形成されており、これらの開口部に操作レバー１５０と直進部材３０８にそれぞれ形成されている軸部や保持部が挿通されて、組み付けが行われる。例えば、開口部３１０ｂには、操作レバー１５０の軸部１５０ｅと直進部材３０８のブラシ保持部３０８ｆが挿通される。開口部３１０ｃには、操作レバー１５０のカシメ軸１５０ｄが挿通される。一対の開口部３１０ｄには、直進部材３０８の軸部３０８ｅが挿通される。ここで、ボタンベース３１０に対する直進部材３０８のＸ方向の位置は、開口部３１０ｄと軸部３０８ｅとの係合によって規制されている。開口部３１０ｂ，３１０ｃ，３１０ｄは、挿通される軸よりもＹ方向に拡張された形状になっているため、直進部材３０８はボタンベース３１０に対してＹ方向にスライド可能となっている。
【００３０】
ボタンベース３１０には、Ｘ方向とＹ方向のそれぞれに平行に延びる複数の摺動リブ３１０ｅが形成されている。摺動リブ３１０ｅが形成されている面からカメラ本体１１０の内側（＋Ｚ方向）に向けて突出した凸部３１０ｇ（第１の凸部）が形成されている。また、凸部３１０ｇから＋Ｘ方向に所定距離だけ離れた位置に、＋Ｚ方向に向けて突出した一対の凸部３１０ｆ（第２の凸部）が形成されている。一対の凸部３１０ｆの中間には、＋Ｚ方向に向けて突出する軸部３１０ｈが形成されている。
【００３１】
スライドプレート３０３には、開口部３０３ａ、一対の穴部３０３ｂ及び一対の穴部３０３ｃが形成されている。そして、穴部３０３ｃよりも−Ｘ方向側の端部には、略９０°に曲げ起こした一対の立壁部３０３ｆ（第１の立壁部）が形成されており、一対の立壁部３０３ｆの間には溝部３０３ｇ（第１の溝部）が形成されている。また、開口部３０３ａの＋Ｘ側には、立壁部３０３ｆの曲げ方向と同じＺ方向に曲げ起こした一対の立壁部３０３ｄ（第２の立壁部）が形成されており、一対の立壁部３０３ｄの間には、溝部３０３ｅ（第２の溝部）が形成されている。
【００３２】
スライドプレート３０３は、カメラ本体１１０の内側からボタンベース３１０の摺動リブ３１０ｅに当接させて、ボタンベース３１０に組み付けられる。このとき、操作レバー１５０と直進部材３０８をボタンベース３１０に対して位置合わせした後、直進部材３０８のブラシ保持部３０８ｆの軸部（直進部材３０８の本体部に対する根元の部分）にスライドプレート３０３の溝部３０３ｇを通す。そして、スライドプレート３０３のボタンベース３１０側の面をボタンベース３１０の摺動リブ３１０ｅへ当接させると、一対の穴部３０３ｃに操作レバー１５０の軸部１５０ｅが挿通される。また、一対の穴部３０３ｂに操作レバー１５０のカシメ軸１５０ｄが挿通され、開口部３０３ａにボタンベース３１０の凸部３１０ｆと軸部３１０ｈとが挿通される。
【００３３】
直進部材３０８のＹ方向に延びる腕部の先端には、凸部３０８ａが＋Ｙ方向側と−Ｙ方向側にそれぞれ２カ所ずつ形成されている。＋Ｙ方向側の２カ所の凸部３０８ａの間と−Ｙ方向側の２カ所の凸部３０８ａの間にはそれぞれ、溝部３０８ｃが形成されている。図５（ｂ）に示すように、直進部材３０８が操作レバー１５０の内部に収容されると、操作レバー１５０に形成されているカシメ軸１５０ｄが直進部材３０８の溝部３０８ｃに収まる。このとき、４カ所の凸部３０８ａはそれぞれ、操作レバー１５０の内部側壁に当接するようにその凸量（高さ）が設定されているので、操作レバー１５０は、直進部材３０８に対してＸ方向にのみ直線的にスライド可能となり、Ｙ方向での動きは規制される。
【００３４】
図５（ｂ）には、直進部材３０８に対して操作レバー１５０がＸ方向に片寄せられて、操作レバー１５０の凹部空間を形成している一側面である側壁１５０ｃに直進部材３０８の側壁３０８ｂが当接している状態が示されている。このとき、カシメ軸１５０ｄと溝部３０８ｃとには一定の隙間が確保されており、且つ、直進部材３０８の＋Ｘ方向側には一定幅の空隙が設けられているため、操作レバー１５０は直進部材３０８に対して図５（ｂ）の状態から−Ｘ方向へスライド可能となっている。
【００３５】
図６は、ボタンベース３１０に操作レバー１５０、直進部材３０８及びスライドプレート３０３が組み付けられた状態を示す斜視図である。ボタンベース３１０に操作レバー１５０、直進部材３０８及びスライドプレート３０３が組み付けられた後に、ボタンベース３１０に対してスライドプレート３０３が熱カシメにより固定される。続いて、付勢部材３０４、押し子部材３０６及びブラシ３０７が組み付けられる。
【００３６】
具体的には、スライドプレート３０３に設けられた穴部３０３ｂには、操作レバー１５０のカシメ軸１５０ｄが挿通されている。そこで、穴部３０３ｂから突出しているカシメ軸１５０ｄに対して熱カシメ加工を施すことにより、スライドプレート３０３に対して操作レバー１５０を固定することができ、これにより、操作レバー１５０とスライドプレート３０３は一体的に動作する構成となる。
【００３７】
付勢部材３０４は、巻回されたコイル部３０４ａと、コイル部３０４ａから略平行に延びる一対の腕部３０４ｂとを有し、腕部３０４ｂは、先端側が反対方向を向くように所定角度でＸ字型に曲げ加工が施されて交差している。付勢部材３０４をボタンベース３１０に組み付ける際には、先ず、付勢部材３０４のコイル部３０４ａをボタンベース３１０の軸部３１０ｊに挿通させる。そして、一対の腕部３０４ｂ同士の間に直進部材３０８の軸部３０８ｄ及びボタンベース３１０の軸部３１０ｈが配置され、一対の腕部３０４ｂの先端腕部３０４ｃが操作レバー１５０の軸部１５０ｅに近接して配置される。ボタンベース３１０の軸部３１０ｊにはビス穴部３１０ｋが形成されており、ボタンベース３１０に付勢部材３０４を組み付けた後にビス３０５をビス穴部３１０ｋに組み付けることで、付勢部材３０４はボタンベース３１０に固定される。なお、付勢部材３０４の腕部３０４ｂは、ボタンベース３１０の軸部３１０ｈと当接する。
【００３８】
前述したように、直進部材３０８は、ボタンベース３１０に対して±Ｙ方向にスライド可能となっている。しかし、付勢部材３０４の一対の腕部３０４ｂはそれぞれ、軸部３０８ｄと当接しているため、直進部材３０８はＹ方向の移動が規制された状態で保持されている。
【００３９】
押し子部材３０６には、スライドプレート３０３の立壁部３０３ｆの厚さ寸法とほぼ同じ幅の不図示の溝部が形成されている。スライドプレート３０３に対して押し子部材３０６を−Ｚ方向へ組み込むと、立壁部３０３ｆと不図示の溝部とが嵌合し、押し子部材３０６がスライドプレート３０３に保持される。また、ブラシ３０７には、穴部３０７ａ，３０７ｂが形成されている。ブラシ３０７の穴部３０７ａ，３０７ｂに直進部材３０８のカシメ軸３０８ｇを挿通し、カシメ軸３０８ｇの突出部分に対して熱カシメ加工を施すことにより、ブラシ３０７は直進部材３０８に固定される。こうして、直進部材３０８とブラシ３０７は、一体的に動作する。
【００４０】
以上の通り、本実施形態では、操作レバー１５０と操作ボタン１４０をボタンベース３１０に組み付けてカメラ本体１１０の背面側に集中して配置し、操作性の観点から一定の大きさが必要とされる操作部材をカメラ本体１１０の上面に設けない構成としている。これにより、操作性を低下させることなく、カメラ本体１１０を薄型化させることが可能となる。また、ボタンベース３１０に操作レバー１５０と操作ボタン１４０を纏めて組み付けることにより、部品点数の削減を図ることができる。
【００４１】
次に、操作レバー１５０のスライド操作に伴う内部構造部品の動作について説明する。図７は、操作レバー１５０のスライド操作に伴う内部構造部品の動作を説明する図である。図８は、ブラシ３０７と対向する位置に配設される操作基板３０９のズームパターン３０９ｂと操作レバー１５０でのズーム操作との関係を説明する図である。
【００４２】
操作基板３０９のズームパターン３０９ｂは、図８中に２点鎖線で囲われている領域Ｌ１のカバーフィルムが開口されて形成されており、領域Ｌ１からは複数の銅箔面が表面に露出している。この露出部分では、表面に予めニッケル等の下地めっきが施された後に金めっき等の処理が施されることによって、高温多湿等の環境下において、露出した金属部の腐食等の進行が低減され、また、低い接点圧でも良好な接触（導通）が保たれるようになっている。
【００４３】
図７（ａ）には、操作レバー１５０が初期位置にある状態が示されている。操作レバー１５０と直進部材３０８は、付勢部材３０４の一対の腕部３０４ｂによって相互に反対方向に同等強さの付勢力を受けているので、初期位置に安定した状態でボタンベース３１０に保持されている。操作レバー１５０が初期位置にあるときには、ブラシ３０７のコンタクト部３０７ｃ，３０７ｄはそれぞれ、ズームパターン３０９ｂにおけるポジションＰ１０，Ｐ１１に接触する。コンタクト部３０７ｃ，３０７ｄは、ブラシ３０７に一体的に形成されているので、ポジションＰ１０，Ｐ１１はショートした状態となる。この状態では、デジタルカメラ１００の不図示の制御部は、操作レバー１５０が初期位置にあることを検出し、鏡筒ユニット１２０を停止させた状態に維持している。
【００４４】
図７（ｂ）には、ズーム操作の一例として、ユーザが変倍操作のために操作レバー１５０を初期位置から望遠側（＋Ｙ方向、図２のＴ１側）へスライド操作した状態が示されている。この場合、操作レバー１５０と一体的に動作する直進部材３０８の軸部３０８ｄが、付勢部材３０４の腕部３０４ｂの付勢力に抗して＋Ｙ方向へスライドする。このとき、直進部材３０８に取り付けられたブラシ３０７のコンタクト部３０７ｃ，３０７ｄとズームパターン３０９ｂとの接触点は、ポジションＰ１０，Ｐ１１からポジションＰ２０，Ｐ２１へ移動する。こうしてポジションＰ２０，Ｐ２１がショートした状態となることにより、デジタルカメラ１００の制御部は、操作レバー１５０が望遠側にあることを検出し、不図示のレンズ駆動源を駆動させて、鏡筒ユニット１２０を望遠側に変倍させる制御を行う。
【００４５】
ユーザが操作レバー１５０の望遠側へのスライド操作を終えると、直進部材３０８の軸部３０８ｄが付勢部材３０４の腕部３０４ｂからの付勢力によって−Ｙ方向へスライドして、操作レバー１５０と直進部材３０８は初期位置に復帰する。こうして、ブラシ３０７も初期位置に復帰し、コンタクト部３０７ｃ，３０７ｄはそれぞれポジションＰ１０，Ｐ１１と接触した状態に戻る。
【００４６】
ユーザが操作レバー１５０を望遠側とは反対側の広角側（−Ｙ方向、図２のＷ１側）にスライド操作した場合には、不図示であるが、ブラシ３０７のコンタクト部３０７ｃ，３０７ｄはそれぞれ、ポジションＰ３０，Ｐ３１でズームパターン３０９ｂと接触する。デジタルカメラ１００の制御部は、ポジションＰ３０，Ｐ３１がショートした状態となったことを検出すると、操作レバー１５０が広角側にあると判定し、不図示のレンズ駆動源を駆動させて、鏡筒ユニット１２０を広角側に変倍させる制御を行う。ユーザが操作レバー１５０の広角側への操作を終えると、直進部材３０８の軸部３０８ｄが付勢部材３０４の腕部３０４ｂからの付勢力によって＋Ｙ方向へスライドして、操作レバー１５０と直進部材３０８は初期位置に復帰する。こうして、ブラシ３０７も初期位置に復帰し、コンタクト部３０７ｃ，３０７ｄはそれぞれポジションＰ１０，Ｐ１１と接触した状態に戻る。初期位置に復帰される。
【００４７】
このように、操作レバー１５０を初期位置からＹ方向にスライドさせるズーム操作を行うときには、直進部材３０８に対して操作レバー１５０は＋Ｘ方向に片寄せられて、側壁１５０ｃに直進部材３０８の側壁３０８ｂが当接している。こうして、操作レバー１５０をＹ方向にスライドさせているときには、操作レバー１５０の＋Ｘ方向への移動は規制されている。また、スライドプレート３０３の立壁部３０３ｄ，３０３ｆの表面がそれぞれボタンベース３１０の凸部３１０ｆ，３１０ｇの＋Ｘ方向側の表面と当接することにより、操作レバー１５０をＹ方向にスライドさせている状態での−Ｘ方向への移動も規制されている。よって、操作レバー１５０を安定してＹ方向にスライドさせることができる。
【００４８】
図７（ｃ）には、ユーザが撮像準備動作のために操作レバー１５０を初期位置からポジションＳ１（図２参照）へスライドさせた状態が示されている。操作レバー１５０を−Ｘ方向にスライドさせたとき、操作レバー１５０とスライドプレート３０３は、操作レバー１５０の軸部１５０ｅが付勢部材３０４の先端腕部３０４ｃの付勢力に抗して、−Ｘ方向へスライドする。
【００４９】
ここで、スライドプレート３０３では、一対の立壁部３０３ｄ間に溝部３０３ｅが形成され、一対の立壁部３０３ｆ間に溝部３０３ｇが形成されている。また、ボタンベース３１０には、溝部３０３ｅの幅に合うように設定された凸部３１０ｆと、溝部３０３ｇの幅に合うように設定された凸部３１０ｇが形成されている。そのため、操作レバー１５０が−Ｘ方向へスライドする際には、凸部３１０ｆ，３１０ｇがそれぞれ溝部３０３ｅ，３０３ｇに入り込み、スライドプレート３０３を保持することで、操作レバー１５０とスライドプレート３０３のＹ方向への移動が規制される。よって、操作レバー１５０とスライドプレート３０３を安定的にＸ方向にスライドさせることができる。
【００５０】
スライドプレート３０３の立壁部３０３ｆには、図７各図に２点鎖線で表されている位置において、押し子部材３０６が嵌合されている。また、操作基板３０９には、ダブルアクションタイプのレリーズスイッチ３０９ｃがＸ方向において押し子部材３０６と対向するように配置されている。よって、操作レバー１５０がポジションＳ１に到達すると、押し子部材３０６がレリーズスイッチ３０９ｃを所定量押し込み、レリーズスイッチ３０９ｃの１段目のスイッチがオンし、入力信号が発生する。この入力信号が、延出部３０９ｄを通してデジタルカメラ１００の制御部へ伝達されると、制御部は、前述したＡＦ処理、ＡＥ処理、ＡＷＢ及び顔検出処理等を開始する。
【００５１】
図７（ｄ）には、ユーザが撮像準備動作のために操作レバー１５０をポジションＳ１からポジションＳ２（図２参照）へスライドさせた状態が示されている。ユーザが撮像動作のために更に操作レバー１５０を−Ｘ方向にスライドさせることにより、操作レバー１５０がポジションＳ２へ到達すると、押し子部材３０６がレリーズスイッチ３０９ｃを更に所定量押し込む。これにより、レリーズスイッチ３０９ｃの２段目のスイッチがオンし、入力信号が発生する。この入力信号が延出部３０９ｄを通してデジタルカメラ１００の制御部へ伝達されると、制御部は、前述した撮像素子に対する露光、撮像素子から読み出した信号に対する各種処理からデータの保存及び表示までの一連の撮像処理を行う。ユーザが操作レバー１５０の操作を終えると、操作レバー１５０は、付勢部材３０４の先端腕部３０４ｃからの付勢力によって＋Ｘ方向へスライドし、初期位置に復帰する。
【００５２】
上記説明の通り、本実施形態では、付勢部材３０４は、コイル部３０４ａを形成する線材をコイル部３０４ａから略平行に引き出すことによって形成された一対の腕部３０４ｂを所定角度に曲げて交差させることにより先端腕部３０４ｃを設けている。こうして、付勢部材３０４は、腕部３０４ｂが操作レバー１５０のＹ方向の付勢手段として機能すると共に、先端腕部３０４ｃが操作レバー１５０のＸ方向の付勢手段として機能する。よって、付勢部材３０４を用いることによって、操作レバー１５０の内部構造を簡略化することができ、また、部品点数を削減することが可能になる。
【００５３】
また、上記説明から、本実施形態では、操作レバー１５０をＹ方向へスライドさせるかＸ方向へスライドさせるかは、操作レバー１５０が初期位置にあるときにのみ選択可能となっている。即ち、操作レバー１５０が初期位置よりもＹ方向にスライドした位置にあるとき、スライドプレート３０３に設けられた立壁部３０３ｄ，３０３ｆがそれぞれ、ボタンベース３１０に設けられた凸部３１０ｆ，３１０ｇに当接する。これにより、操作レバー１５０が初期位置からＹ方向にスライドした位置にあるときには、操作レバー１５０をＸ方向へスライドさせることができない。よって、ユーザが画角を調整しているときに、撮像処理動作をスタートさせてしまう誤操作の発生を防止することができる。一方、操作レバー１５０が初期位置よりもＸ方向にスライドした位置にあるときには、スライドプレート３０３に設けられた立壁部３０３ｄ，３０３ｆがそれぞれボタンベース３１０に設けられた凸部３１０ｆ，３１０ｇに当接する。これにより、操作レバー１５０が初期位置からＸ方向にスライドした位置にあるときには、操作レバー１５０をＹ方向へスライドさせることができない。よって、ユーザが撮像動作に入ったときに、画角調整を行ってしまう誤操作の発生を防止することができる。
【００５４】
さて、デジタルカメラ１００では、各種の操作部材をカメラ本体１１０の背面側に集中して配置することにより、カメラ本体１１０の上面部にスペースが生じる。これにより、カメラ本体１１０の上面部のデザイン設計自由度や機能モジュール等の設計自由度が大きくなり、また、機能モジュール等の効率的な配置が可能となる。
【００５５】
例えば、近年では、Ｗｉ−Ｆｉ（登録商標）等の無線ＬＡＮモジュールや、ＧＰＳ（Global Positioning System）等の無線通信機能を備えたデジタルカメラが普及している。デジタルカメラの場合、無線通信時に所望の電波到達距離を確保するために、無線通信モジュールや無線通信アンテナを電波伝搬障害の発生し難い場所にレイアウトする必要があり、その好ましい位置としてカメラ本体の上面部が挙げられる。しかし、カメラ本体の上面部に各種の操作部材を配置した構成では、無線通信モジュールや無線通信アンテナのレイアウトに対する制約が大きくなる。これに対して、本実施形態に係るデジタルカメラ１００では、カメラ本体１１０の上面部に無線通信モジュールや無線通信アンテナ等を配置するときの自由度が大きい。
【００５６】
図９は、デジタルカメラ１００に無線モジュールを配置したときの概略構成を示す正面図である。カメラ本体１１０には、鏡筒ユニット１２０と隣接するように発光ユニット５００と電池収容部６００が配置されている。電池収容部６００の背面側には、制御部を有する制御基板７００が配置されており、図１（ｂ）に示したように、鏡筒ユニット１２０の裏側（カメラ本体１１０の背面側）には表示部１３０が配置されている。カメラ本体１１０の上面部には操作部材が配置されていないため、このスペースに無線通信モジュール８００ａ，８００ｂを配置することができる。例えば、無線通信モジュール８００ａは無線ＬＡＮモジュールであり、無線通信モジュール８００ｂはＧＰＳモジュールである。
【００５７】
制御基板７００や鏡筒ユニット１２０に設けられているアクチュエータや発光ユニット５００に設けられている大容量のコンデンサ等は、無線通信モジュール８００ａ，８００ｂとの距離が近い場合に、無線通信に障害を引き起こす原因となり得る。そこで、デジタルカメラ１００では、無線通信モジュール８００ａ，８００ｂをカメラ本体１１０の上面部に配置して、これら無線通信に障害を引き起こす原因となる要素（部品）から一定の距離を隔てた状態を実現している。これにより、無線通信モジュール８００ａ，８００ｂによる外部（外部通信装置等）との通信時における電波伝搬障害の発生を抑制することができる。
【００５８】
以上、本発明の好ましい実施形態について説明したが、本発明はこれらの実施形態に限定されず、その要旨の範囲内で種々の変形及び変更が可能である。例えば、上記実施形態では、ユーザによる操作レバー１５０のズーム操作を、ブラシ３０７のコンタクト部３０７ｃと操作基板３０９のズームパターン３０９ｂとの接触点の変動によって検出したが、ズーム操作の検出方法はこれに限られるものではない。例えば、操作基板３０９に複数方向の移動を検出可能なレバー端子を備えたスイッチを実装し、直進部材３０８の移動方向を検出することで、ズーム操作を検出する構成としてもよい。
【００５９】
また、上記実施形態では、ユーザによる操作レバー１５０のレリーズ操作を、ダブルアクションタイプのスイッチを用いて検出したが、レリーズ操作の検出方法はこれに限られるものではない。例えば、ダブルアクションタイプのスイッチが実装されていた位置に１アクションのみ検出が可能なスイッチを実装し、スライドプレート３０３に操作基板３０９との接点部を設ける。そして、ポジションＳ１の検出を、この接点部と操作基板３０９に設けられたポジションＳ１検出用のパターンで行う構成としてもよい。この構成の場合には、ポジションＳ１が検出されたときにはユーザはクリック感を得られず、ポジションＳ２を検出したときのみ、ユーザはスイッチのクリック感を得られる構成とすることができる。
【００６０】
なお、上記実施形態では、撮像装置におけるレリーズ操作とズーム操作という２つの異なる操作を操作レバー１５０で行うことができる構成について説明した。しかし、操作レバー１５０は、撮像装置に限定されず、種々の電子機器において異なる操作を行うための操作部材として用いることができる。また、操作レバー１５０は、少なくとも３方向にスライドさせることが可能であるから、各方向に異なる操作を割り当てることによって、３つの操作を行うことができる操作部材として用いることもできる。
【符号の説明】
【００６１】
１００    デジタルカメラ
１１０    カメラ本体
１２０    鏡筒ユニット
１５０    操作レバー
３０３ｄ    立壁部
３０３ｅ    溝部
３０４    付勢部材
３０４ｂ    腕部
３０４ｃ    先端腕部
３１０    ボタンベース
３１０ｆ    凸部
Ｗ１    第１のポジション
Ｔ１    第２のポジション
Ｓ１    第３のポジション
Ｓ２    第４のポジション
【図１】
2016206594.tif 000003
【図２】
2016206594.tif 000004
【図３】
2016206594.tif 000005
【図４】
2016206594.tif 000006
【図５】
2016206594.tif 000007
【図６】
2016206594.tif 000008
【図７】
2016206594.tif 000009
【図８】
2016206594.tif 000010
【図９】
2016206594.tif 000011